(57)【要約】【課題】所望の測定値を正確かつ容易に表示させる。【解決手段】測定部と、クランプ型の電流センサと、測定用の接触子を介して入力される第１の入力電圧の有無を検出する電圧検出部とを備え、測定部が、第１の入力電圧の電圧を測定する電圧測定処理と、電流センサから入力された第２の入力電圧に基づいて電流を測定する電流測定処理と、接触子を流れる電流に基づいて抵抗を測定する抵抗測定処理とを実行可能に構成されると共に、測定開始が指示されたときに電流測定処理を開始し（ステップ２２，２３）、電流測定処理によって電流が測定されず、かつ電圧検出部によって第１の入力電圧が検出されたときに（ステップ３０）電圧測定処理を開始し（ステップ３２，３３）、電流測定処理によって電流が測定されず、かつ電圧検出部によって第１の入力電圧が検出されないときに（ステップ３０）抵抗測定処理を開始する（ステップ３６，３７）。【選択図】図２
2010281571.tif 000002
【特許請求の範囲】
【請求項１】
測定部と、クランプ型の電流センサと、測定用の接触子を介して入力される第１の入力電圧の有無を検出する電圧検出部とを備え、
前記測定部は、前記第１の入力電圧の電圧を測定する電圧測定処理と、前記電流センサから入力された第２の入力電圧に基づいて電流を測定する電流測定処理と、前記接触子を流れる電流、および当該接触子を介して入力される第３の入力電圧のいずれか一方に基づいて抵抗を測定する抵抗測定処理とを実行可能に構成されると共に、測定開始が指示されたときに前記電流測定処理を開始し、当該電流測定処理によって前記電流が測定されず、かつ前記電圧検出部によって前記第１の入力電圧が検出されたときに前記電圧測定処理を開始し、当該電流測定処理によって前記電流が測定されず、かつ前記電圧検出部によって前記第１の入力電圧が検出されないときに前記抵抗測定処理を開始する測定装置。
【請求項２】
測定部と、クランプ型の電流センサとを備え、
前記測定部は、測定用の接触子を介して入力される第１の入力電圧の電圧を測定する電圧測定処理と、前記電流センサから入力された第２の入力電圧に基づいて電流を測定する電流測定処理と、前記接触子を流れる電流、および当該接触子を介して入力される第３の入力電圧のいずれか一方に基づいて抵抗を測定する抵抗測定処理とを実行可能に構成されると共に、測定開始が指示されたときに前記電流測定処理を開始し、当該電流測定処理によって前記電流が測定されないときに前記電圧測定処理を開始し、当該電圧測定処理によって前記電圧が測定されないときに前記抵抗測定処理を開始する測定装置。
【請求項３】
測定部と、クランプ型の電流センサとを備え、
前記測定部は、測定用の接触子を介して入力される第１の入力電圧の電圧を測定する電圧測定処理と、前記電流センサから入力された第２の入力電圧に基づいて電流を測定する電流測定処理とを実行可能に構成されると共に、測定開始が指示されたときに前記電流測定処理を開始し、当該電流測定処理によって前記電流が測定されないときに前記電圧測定処理を開始する測定装置。
【請求項４】
測定部と、クランプ型の電流センサとを備え、
前記測定部は、前記電流センサから入力された第Ａの入力電圧に基づいて電流を測定する電流測定処理と、測定用の接触子を流れる電流、および当該接触子を介して入力される第Ｂの入力電圧のいずれか一方に基づいて抵抗を測定する抵抗測定処理とを実行可能に構成されると共に、測定開始が指示されたときに前記電流測定処理を開始し、当該電流測定処理によって前記電流が測定されないときに前記抵抗測定処理を開始する測定装置。
【請求項５】
前記電流センサの開閉状態を検出する開閉状態検出部を備え、
前記測定部は、前記電流測定処理において前記電流が測定され、かつ、前記開閉状態検出部によって閉状態と検出されたときに当該測定された電流の値を表示部に表示させ、前記電流測定処理において前記電流が測定され、かつ、前記開閉状態検出部によって開状態と検出されたときに当該開状態を報知する請求項１から４のいずれかに記載の測定装置。
【発明の詳細な説明】
【技術分野】
【０００１】
本発明は、クランプ型の電流センサを備えて電流測定処理を実行可能に構成された測定装置に関するものである。
【背景技術】
【０００２】
この種の測定装置として、特開平８−４３４３９号公報にクランプ電流計が開示されている。この公開公報において「他の実施形態」として開示されているクランプ電流計は、クランプセンサから入力された入力電圧に基づいて２線式電源コードを流れている電流を測定する電流測定回路と、ラインスプリッタを介して入力された入力電圧の電圧（電源コードの線間電圧）を測定する電圧測定回路と、電流測定回路および電圧測定回路の測定結果を乗算して電力を測定する乗算回路とを備えている。このクランプ電流計を用いた測定処理に際しては、まず、ラインスプリッタのプラグを商用交流のコンセントに差し込むと共に、ラインスプリッタのコンセントに電気機器の電源コード（プラグ）を差し込む。この状態において、例えば、切替えスイッチを「Ａ：電流測定」に切り替えると、上記の電流測定回路によって測定された電流が表示部に表示され、切替えスイッチを「Ｖ：電圧測定」に切り替えると、上記の電圧測定回路によって測定された電圧が表示部に表示され、切替えスイッチを「Ｗ：電力」に切り替えると、上記の乗算回路によって測定された電力が表示部に表示される。このように、このクランプ電流計では、電圧計や電力計等を別個に用意することなく、電流、電圧および電力の３つをそれぞれ測定することが可能となっている。
【先行技術文献】
【特許文献】
【０００３】
【特許文献１】特開平８−４３４３９号公報（第２−３頁、第３−６図）
【発明の概要】
【発明が解決しようとする課題】
【０００４】
ところが、従来のクランプ電流計には、以下の問題点が存在する。すなわち、従来のクランプ電流計では、切替えスイッチを「Ａ」に切り替えたときに電流測定回路によって測定された電流が表示され、切替えスイッチを「Ｖ」に切り替えたときに電圧測定回路によって測定された電圧が表示され、切替えスイッチを「Ｗ」に切り替えたときに乗算回路によって測定された電力が表示される構成が採用されている。この場合、この種の測定装置の操作に不慣れな利用者は、切替え操作を誤り、電流を測定すべきとき（測定した電流を表示させるべきとき）に切替えスイッチを「Ｖ」に切り替えたり、電圧を測定すべきとき（測定した電圧を表示させるべきとき）に切替えスイッチを「Ａ」に切り替えたりすることがある。この際に、切替え操作の誤りに気付くことができない場合には、表示されている電圧値を電流値として誤って認識したり、表示されている電流値を電圧値として誤って認識したりする。また、誤操作に気付くことができたとしても、所望の測定値を表示させるために再び切替え操作を行う必要がある。このように、従来のクランプ電流計には、所望の測定値を表示させるために切替えスイッチの操作を要することに起因して、測定値の誤認識や、煩雑な再操作を要するという問題点がある。
【０００５】
本発明は、かかる問題点に鑑みてなされたものであり、所望の測定値を正確かつ容易に表示させ得る測定装置を提供することを主目的とする。
【課題を解決するための手段】
【０００６】
上記目的を達成すべく請求項１記載の測定装置は、測定部と、クランプ型の電流センサと、測定用の接触子を介して入力される第１の入力電圧の有無を検出する電圧検出部とを備え、前記測定部が、前記第１の入力電圧の電圧を測定する電圧測定処理と、前記電流センサから入力された第２の入力電圧に基づいて電流を測定する電流測定処理と、前記接触子を流れる電流、および当該接触子を介して入力される第３の入力電圧のいずれか一方に基づいて抵抗を測定する抵抗測定処理とを実行可能に構成されると共に、測定開始が指示されたときに前記電流測定処理を開始し、当該電流測定処理によって前記電流が測定されず、かつ前記電圧検出部によって前記第１の入力電圧が検出されたときに前記電圧測定処理を開始し、当該電流測定処理によって前記電流が測定されず、かつ前記電圧検出部によって前記第１の入力電圧が検出されないときに前記抵抗測定処理を開始する。
【０００７】
また、請求項２記載の測定装置は、測定部と、クランプ型の電流センサとを備え、前記測定部が、測定用の接触子を介して入力される第１の入力電圧の電圧を測定する電圧測定処理と、前記電流センサから入力された第２の入力電圧に基づいて電流を測定する電流測定処理と、前記接触子を流れる電流、および当該接触子を介して入力される第３の入力電圧のいずれか一方に基づいて抵抗を測定する抵抗測定処理とを実行可能に構成されると共に、測定開始が指示されたときに前記電流測定処理を開始し、当該電流測定処理によって前記電流が測定されないときに前記電圧測定処理を開始し、当該電圧測定処理によって前記電圧が測定されないときに前記抵抗測定処理を開始する。
【０００８】
また、請求項３記載の測定装置は、測定部と、クランプ型の電流センサとを備え、前記測定部が、測定用の接触子を介して入力される第１の入力電圧の電圧を測定する電圧測定処理と、前記電流センサから入力された第２の入力電圧に基づいて電流を測定する電流測定処理とを実行可能に構成されると共に、測定開始が指示されたときに前記電流測定処理を開始し、当該電流測定処理によって前記電流が測定されないときに前記電圧測定処理を開始する。
【０００９】
また、請求項４記載の測定装置は、測定部と、クランプ型の電流センサとを備え、前記測定部が、前記電流センサから入力された第Ａの入力電圧に基づいて電流を測定する電流測定処理と、測定用の接触子を流れる電流、および当該接触子を介して入力される第Ｂの入力電圧のいずれか一方に基づいて抵抗を測定する抵抗測定処理とを実行可能に構成されると共に、測定開始が指示されたときに前記電流測定処理を開始し、当該電流測定処理によって前記電流が測定されないときに前記抵抗測定処理を開始する。
【００１０】
さらに、請求項５記載の測定装置は、請求項１から４のいずれかに記載の測定装置において、前記電流センサの開閉状態を検出する開閉状態検出部を備え、前記測定部が、前記電流測定処理において前記電流が測定され、かつ、前記開閉状態検出部によって閉状態と検出されたときに当該測定された電流の値を表示部に表示させ、前記電流測定処理において前記電流が測定され、かつ、前記開閉状態検出部によって開状態と検出されたときに当該開状態を報知する。
【発明の効果】
【００１１】
請求項１記載の測定装置によれば、測定開始が指示されたときに電流測定処理を開始し、電流測定処理によって電流が測定されず、かつ電圧検出部によって第１の入力電圧が検出されたときに電圧測定処理を開始し、電流測定処理によって電流が測定されず、かつ電圧検出部によって第１の入力電圧が検出されないときに抵抗測定処理を開始することにより、この種の測定装置の操作に不慣れな利用者であっても、電流の測定を所望しているときには電流センサによって電流測定対象体をクランプし、電圧の測定を所望しているときには、接触子を電圧測定対象体に接触させ、抵抗の測定を所望しているときには、接触子を抵抗測定対象体に接触させるだけで、煩雑な切替え操作を行うことなく、所望の測定ファンクションに切り替えられて所望の測定処理が自動的に実行されるため、操作誤りを招くことなく、所望の測定値を正確かつ容易に表示部に表示させることができる。
【００１２】
請求項２記載の測定装置によれば、測定開始が指示されたときに電流測定処理を開始し、電流測定処理によって電流が測定されないときに電圧測定処理を開始し、電圧測定処理によって電圧が測定されないときに抵抗測定処理を開始することにより、この種の測定装置の操作に不慣れな利用者であっても、電流の測定を所望しているときには電流センサによって電流測定対象体をクランプし、電圧の測定を所望しているときには、接触子を電圧測定対象体に接触させ、抵抗の測定を所望しているときには、接触子を抵抗測定対象体に接触させるだけで、煩雑な切替え操作を行うことなく、所望の測定ファンクションに切り替えられて所望の測定処理が自動的に実行されるため、操作誤りを招くことなく、所望の測定値を正確かつ容易に表示部に表示させることができる。また、この測定装置によれば、電圧検出部を不要にできるため、その分の製造コストを低減することができる。
【００１３】
請求項３記載の測定装置によれば、測定開始が指示されたときに電流測定処理を開始し、電流測定処理によって電流が測定されないときに電圧測定処理を開始することにより、この種の測定装置の操作に不慣れな利用者であっても、電流の測定を所望しているときには電流センサによって電流測定対象体をクランプし、電圧の測定を所望しているときには、接触子を電圧測定対象体に接触させるだけで、煩雑な切替え操作を行うことなく、所望の測定ファンクションに切り替えられて所望の測定処理が自動的に実行されるため、操作誤りを招くことなく、所望の測定値を正確かつ容易に表示部に表示させることができる。また、この測定装置においても、電圧検出部を不要にできるため、その分の製造コストを低減することができる。
【００１４】
請求項４記載の測定装置によれば、測定開始が指示されたときに電流測定処理を開始し、電流測定処理によって電流が測定されないときに抵抗測定処理を開始することにより、この種の測定装置の操作に不慣れな利用者であっても、電流の測定を所望しているときには電流センサによって電流測定対象体をクランプし、抵抗の測定を所望しているときには、接触子を抵抗測定対象体に接触させるだけで、煩雑な切替え操作を行うことなく、所望の測定ファンクションに切り替えられて所望の測定処理が自動的に実行されるため、操作誤りを招くことなく、所望の測定値を正確かつ容易に表示部に表示させることができる。また、この測定装置においても、電圧検出部を不要にできるため、その分の製造コストを低減することができる。
【００１５】
請求項５記載の測定装置では、電流測定処理において電流が測定され、かつ、開閉状態検出部によって電流センサが閉状態と検出されたときに測定された電流の値を表示部に表示させ、電流測定処理において電流が測定され、かつ、開閉状態検出部によって電流センサが開状態と検出されたときに開状態を報知する。したがって、この測定装置によれば、電流の測定を所望しているときにおいて電流測定対象体に電流が流れていないときに電流センサが開状態であることに起因して外部磁界の存在による電流が誤って測定される事態を回避することができる。また、この測定装置によれば、電圧の測定または抵抗の測定を所望しているときに外部磁界の存在による電流が誤って測定されて電流測定処理が継続して実行され、電圧測定処理や抵抗測定処理が開始されないといった事態を確実に回避することができる。
【図面の簡単な説明】
【００１６】
【図１】クランプ式電流計１のブロック図である。
【図２】クランプ式電流計１による測定処理２０のフローチャートである。
【発明を実施するための形態】
【００１７】
以下、本発明に係る測定装置の実施の形態について、添付図面を参照して説明する。
【００１８】
図１に示すクランプ式電流計１は、測定装置の一例であって、電流センサ２、テストリード接続部３、開閉状態検出部４、電圧検出部５、測定部６、操作部７、表示部８、記憶部９および制御部１０を備えている。電流センサ２は、クランプ型の（開閉式の）電流センサであって、磁性コアの周囲に導線が巻回されて環状のコイル部が形成されると共に、図示しない開閉機構によって環状のコイル部をＣ字状に開口することができるように構成されている。この場合、クランプ型の電流センサの構成は、上記の電流センサ２のような構成に限定されず、非磁性コア（非磁性の芯材）の周囲に導線が巻回されて環状のコイル部が形成されると共に、この環状のコイル部をＣ字状に開口することができるような構成（図示せず）を採用することもできる。また、コイルを備えずに、クランプ機構の一部分にホール素子等の検出センサを配設した構成（図示せず）を採用することもできる。なお、クランプ型の電流センサの構成については公知のため、詳細な説明および図示を省略する。テストリード接続部３（以下、「接続部３」ともいう）は、テストリード３ａ，３ｂ（測定用の接触子が接続された測定用ケーブル）を接続可能に（着脱可能に）構成されると共に、テストリード３ａ，３ｂが接続されている状態において、このテストリード３ａ，３ｂ（接触子）を電圧検出部５および測定部６に接続する。なお、このクランプ式電流計１では、テストリード３ａ，３ｂを着脱可能に構成しているが、テストリード３ａ，３ｂを取り外しできないように接続部３に予め固定的に接続しておく構成を採用することもできる。
【００１９】
開閉状態検出部４は、一例として、出願人が特許第３９４３２０９号公報に開示しているクランプセンサの構成と同様に電流センサ２のコイル部の開閉状態を検出し、電流センサ２が閉状態のときに検出信号Ｓ１を制御部１０に出力し、電流センサ２が開状態のときに検出信号Ｓ１の出力を停止する。なお、電流センサ２が開状態のときに検出信号を出力し、電流センサ２が閉状態のときに検出信号の出力を停止する構成を採用することもできる。電圧検出部５は、一例として、コンパレータを備え、接続部３に接続されたテストリード３ａ，３ｂを介して入力される電圧Ｖｂ（「第１の入力電圧」の一例）を検出したときに検出信号Ｓ２を制御部１０に出力する。具体的には、テストリード３ａの接触部位とテストリード３ｂの接触部位との間に上記の電圧Ｖｂとして交流電圧が印加されている状態では、コンパレータは、この交流電圧を整流した直流電圧と所定の基準電圧とを比較して、整流した直流電圧が所定の基準電圧以上のときに検出信号Ｓ２を出力する。また、テストリード３ａの接触部位とテストリード３ｂの接触部位との間に上記の電圧Ｖｂとして直流電圧が印加されている状態では、コンパレータは、この直流電圧と所定の基準電圧とを比較して、直流電圧が所定の基準電圧以上のときに検出信号Ｓ２を出力する。
【００２０】
測定部６は、制御部１０の制御に従って各種測定処理を実行する。具体的には、測定部６は、電流センサ２から入力された電圧Ｖａ（「電流センサから入力された第２の入力電圧（第Ａの入力電圧）」の一例）に基づいて電流（電流測定対象体を流れている電流）を測定する電流測定処理、接続部３に接続されたテストリード３ａ，３ｂを介して入力された電圧Ｖｂ（「接触子を介して入力される第１の入力電圧」の一例）の電圧（電圧測定対象体の電圧）を測定する電圧測定処理、および接続部３に接続されたテストリード３ａ，３ｂ間に電圧Ｖｃを印加したときにテストリード３ａ，３ｂを流れる電流Ｉ（「接触子を流れる電流」の一例）に基づいて抵抗（抵抗測定対象体の抵抗）を測定する抵抗測定処理（「接触子を流れる電流、および接触子を介して入力される第３の入力電圧（第Ｂの入力電圧）のいずれか一方」が「接触子を流れる電流」である抵抗測定処理の例）を実行すると共に、実行した各測定処理の測定結果を測定データＤとして出力する。
【００２１】
操作部７は、電源スイッチや、測定ファンクション切替えスイッチ（以下、単に「切替えスイッチ」ともいう）等の各種操作スイッチ（図示せず）を有し、スイッチ操作に応じた操作信号Ｓ３を出力する。この場合、このクランプ式電流計１では、上記の電源スイッチのスイッチ操作によって電源が投入されたときに後述する測定処理２０が開始される構成が採用されている。また、このクランプ式電流計１では、上記の測定ファンクション切替えスイッチが、「Ａ：電流測定ファンクション」、「Ｖ：電圧測定ファンクション」、「Ω：抵抗測定ファンクション」および「ＡＵＴＯ：測定ファンクション自動切替え」の４つのモードのうちのいずれかを選択可能に構成されている。表示部８は、制御部１０の制御に従って測定部６からの測定データＤに基づく測定値や各種のメッセージを表示する。
【００２２】
記憶部９は、制御部１０の動作プログラムを記憶する。制御部１０は、クランプ式電流計１を総括的に制御する。具体的には、制御部１０は、操作部７の電源スイッチが操作されてクランプ式電流計１に電源が投入されたときに（「測定開始が指示されたとき」の一例）、図２に示す測定処理２０を開始し、後述するようにして測定部６を制御して、電流測定処理を実行すると共に、クランプ式電流計１の使用状態に応じて電圧測定処理および抵抗測定処理のいずれかを実行させる。また、制御部１０は、開閉状態検出部４からの検出信号Ｓ１の出力の有無に基づいて電流センサ２の開閉状態を判別すると共に、電圧検出部５からの検出信号Ｓ２の出力の有無に基づいてテストリード３ａ，３ｂを接触させている接触部位間に電圧Ｖｂが入力（印加）されているか否かを判別する。さらに、制御部１０は、測定部６から出力された測定データＤに基づき、測定部６による測定処理の結果（測定結果）を表示部８に表示させる。なお、このクランプ式電流計１では、上記の測定部６および制御部１０が相俟って測定部として機能する。
【００２３】
このクランプ式電流計１では、操作部７の切替えスイッチを「ＡＵＴＯ」に切替え操作した状態において電源スイッチを操作する（電源を投入する）ことにより、「電流測定ファンクション」、「電圧測定ファンクション」および「抵抗測定ファンクション」のうちから利用者が実施しようとしている測定ファンクションが自動的に選択されて各種測定処理が実行される構成が採用されている。具体的には、電源が投入されたときに、制御部１０は、図２に示す測定処理２０を開始する。この測定処理２０では、制御部１０は、まず、操作部７からの操作信号Ｓ３に基づき、切替えスイッチが「ＡＵＴＯ」に切り替えられているか否かを判別する（ステップ２１）。この際には、一例として、「ＡＵＴＯ」に切り替えられていると判別し、制御部１０は、測定部６を制御して測定モードを電流測定ファンクションに切り替えさせる（ステップ２２）。なお、切替えスイッチが「ＡＵＴＯ」以外のモードに切り替えられている際の処理については、後に説明する。
【００２４】
次いで、制御部１０は、測定部６を制御して電流測定処理を実行させる（ステップ２３）。この際に、利用者がクランプ式電流計１を用いて例えば電源ケーブル（電流測定対象体の一例）を流れている電流を測定しようとしている場合には、電源スイッチの操作時において（測定処理２０の開始時において）、電流センサ２によって電源ケーブルがクランプされた状態となっている。このため、電源ケーブルを電流が流れているときには、電源ケーブルの周囲に生じた磁束が電流センサ２の巻線の内側を通過して巻線の両端間に電圧Ｖａが生じて測定部６に入力される。これに応じて、測定部６が、入力された電圧Ｖａに基づいて電源ケーブルを流れている電流を測定し（電流測定処理の実行）、その測定結果を測定データＤとして制御部１０に出力する。一方、制御部１０は、測定部６からの測定データＤに基づき、測定された電流が「０Ａ」か否かを判別する（ステップ２４）。この際には、測定部６によって電源ケーブルを流れている電流が測定されるため、制御部１０は、電流が「０Ａ」ではない（言い替えれば電流が流れている）と判別する。
【００２５】
次いで、制御部１０は、電流センサ２が閉状態であるか否かを判別する（ステップ２５）。この場合、この種のクランプ式電流計では、電流センサ２によって電流測定対象体をクランプしていないとき（電流の測定を所望していないとき）や、電流センサ２によってクランプしている電流測定対象体に電流が流れていない状態であっても、電流センサ２が開状態のときには、周囲の外部磁界が電流センサ２によって検出されて電圧Ｖａが測定部６に入力されることがある。このような状態においては、利用者が電流の測定を所望していないとき（例えば、電圧の測定や抵抗の測定を所望しているとき）や、電流測定対象体を電流が流れていないときであっても、外部磁界の存在に起因して測定部６に入力された電圧Ｖａに基づいて所定値の電流が測定されることとなる。したがって、このクランプ式電流計１では、制御部１０が、開閉状態検出部４からの検出信号Ｓ１の出力の有無に基づき、電流センサ２が閉状態であるか否かをチェックする構成が採用されている。
【００２６】
具体的には、制御部１０は、開閉状態検出部４から検出信号Ｓ１が出力されているときには、電流センサ２が閉状態ではない（開状態である）と判別し、一例として「クランプセンサが開状態になっています。」とのメッセージを表示し（「開状態を報知する」との処理の一例：ステップ２６）、電流測定処理を再び実行する（ステップ２３）。また、制御部１０は、開閉状態検出部４から検出信号Ｓ１が出力されていないときには、電流センサ２が閉状態である（開状態ではない）と判別し、測定部６からの測定データＤに基づく測定結果（測定値）を表示部８に表示させる（ステップ２７）。これにより、利用者が電流の測定を所望しているとき（電流が流れている電源ケーブルを電流センサ２によってクランプした状態において電源が投入されたとき）には、煩雑なスイッチ操作を行うことなく、電流測定処理が自動的に実行されて測定値が表示部８に表示される。また、電流測定処理の実行に際して利用者が切替えスイッチを操作していないため、切替えスイッチの誤操作（意図しない測定ファンクションの選択）が回避される。次いで、制御部１０は、操作部７の切替えスイッチが操作されたか否かを判別し（ステップ２８）、切替えスイッチが操作されていないときには、電流測定処理を再び実行し（ステップ２３）、切替えスイッチが操作されているときには、「ＡＵＴＯ」に切り替えられているか否かを判別する（ステップ２１）。
【００２７】
一方、電流センサ２によってクランプしている電源ケーブルを電流が流れていないときには（測定値が「０Ａ」のときには：ステップ２４）、制御部１０は、測定部６からの測定データＤに基づき、測定値（この例では、「０Ａ」）を表示部８に表示させる（ステップ２９）。これにより、利用者が電流の測定を所望しているとき（電流が流れていない電源ケーブルを電流センサ２によってクランプした状態において電源が投入されたとき）には、煩雑なスイッチ操作を行うことなく、電流測定処理が自動的に実行されて測定値が表示部８に表示される。また、この例においても、電流測定処理の実行に際して利用者が切替えスイッチを操作していないため、切替えスイッチの誤操作（意図しない測定ファンクションの選択）が回避される。
【００２８】
この場合、利用者が電流の測定を所望していないとき（電流センサ２によって電源ケーブル等の電流測定対象体がクランプされていないとき）には、測定部６による上記の電流測定処理によって「０Ａ」との測定値が測定される。この際には、制御部１０は、「０Ａ」との測定値を表示部８に表示させた後に（ステップ２９）、テストリード３ａ，３ｂを介して入力される入力電圧の有無（テストリード３ａ，３ｂの接触部位間に電圧が生じているか否か）を判別し（ステップ３０）、その判別結果に応じて測定部６を電圧測定ファンクションおよび抵抗測定ファンクションのいずれかに切り替えさせる。この際に、利用者がクランプ式電流計１を用いて例えば一対の電源ケーブル（電圧測定対象体の一例）の線間電圧を測定しようとしている場合には、電源スイッチの操作時において（測定処理２０の開始時において）、電流センサ２によって電源ケーブルがクランプされることなく、テストリード３ａ，３ｂが両電源ケーブルにそれぞれ接触させられた状態となっている。
【００２９】
したがって、テストリード３ａ，３ｂを接触させている電源ケーブルに線間電圧が生じてテストリード３ａ，３ｂに電圧Ｖｂが印加されているときには、上記の電流測定処理（ステップ２３）において「０Ａ」との電流が測定され（ステップ２４）、測定値の表示（ステップ２９）の後に、電圧検出部５によってこの電圧Ｖｂが検出されて検出信号Ｓ２が出力され、これに応じて、制御部１０は、入力電圧ありと判別する（ステップ３０）。この際に、制御部１０は、測定部６を制御して電圧測定ファンクションに切り替えさせ（ステップ３１）、電圧測定処理を実行させる（ステップ３２）。これに応じて、測定部６は、テストリード３ａ，３ｂを介して入力される電圧Ｖｂに基づき、テストリード３ａ，３ｂを接触させている一対の電源ケーブルの間の線間電圧を測定して測定データＤを出力する。また、制御部１０は、測定部６からの測定データＤに基づいて測定部６による電圧測定処理の結果（測定結果）を表示部８に表示させる（ステップ３３）。
【００３０】
これにより、利用者が電圧の測定を所望しているとき（線間電圧が生じている電源ケーブルにテストリード３ａ，３ｂが接触させられてテストリード３ａ，３ｂに電圧Ｖｂが印加されているとき）には、煩雑なスイッチ操作を行うことなく、電圧測定処理が自動的に実行されて測定値が表示部８に表示される。また、電圧測定処理の実行に際して利用者が切替えスイッチを操作していないため、切替えスイッチの誤操作（意図しない測定ファンクションの選択）が回避される。次いで、制御部１０は、操作部７の切替えスイッチが操作されたか否かを判別し（ステップ３４）、切替えスイッチが操作されていないときには、電圧測定処理を再び実行し（ステップ３２）、切替えスイッチが操作されていたときには、「ＡＵＴＯ」に切り替えられているか否かを判別する（ステップ２１）。
【００３１】
一方、利用者が電圧の測定を所望している電源ケーブルに線間電圧が生じていない場合や、利用者が信号ケーブル（抵抗測定対象体の一例）の両端間抵抗の測定を所望している場合には、制御部１０は、電圧検出部５から検出信号Ｓ２が出力されていないことに基づき、入力電圧なしと判別して（ステップ３０）、一例として「電圧の入力がありません。」とのメッセージを表示部８に表示させる（ステップ３５）。次いで、制御部１０は、測定部６を制御して抵抗測定ファンクションに切り替えさせ（ステップ３６）、抵抗測定処理を実行させる（ステップ３７）。これに応じて、測定部６は、テストリード３ａ，３ｂ間に電圧Ｖｃを印加すると共にテストリード３ａ，３ｂを流れる電流Ｉを測定し、印加した電圧Ｖｃと測定した電流Ｉとに基づき、テストリード３ａ，３ｂを接触させている信号ケーブルの両端の抵抗を測定して測定データＤを出力する。また、制御部１０は、測定部６からの測定データＤに基づいて測定部６による抵抗測定処理の結果（測定結果：この例では、信号ケーブルの両端間抵抗）を表示部８に表示させる（ステップ３８）。
【００３２】
これにより、利用者が抵抗（この例では、信号ケーブルの両端間抵抗）の測定を所望しているとき（抵抗測定対象体としての信号ケーブルの両端にテストリード３ａ，３ｂが接触させられているとき）には、煩雑なスイッチ操作を行うことなく、抵抗測定処理が自動的に実行されて測定値が表示部８に表示される。また、抵抗測定処理の実行に際して利用者が切替えスイッチを操作していないため、切替えスイッチの誤操作（意図しない測定ファンクションの選択）が回避される。次いで、制御部１０は、操作部７の切替えスイッチが操作されたか否かを判別し（ステップ３９）、切替えスイッチが操作されていないときには、抵抗測定処理を再び実行し（ステップ３７）、切替えスイッチが操作されていたときには、「ＡＵＴＯ」に切り替えられているか否かを判別する（ステップ２１）。
【００３３】
この場合、操作部７の切替えスイッチが「ＡＵＴＯ」に切り替えられている状態において、利用者が所望する測定処理が自動的に実行される例について説明したが、このクランプ式電流計１では、「電流測定処理」、「電圧測定処理」および「抵抗測定処理」のいずれかを任意に選択して実行させることもできる。具体的には、電流測定対象体を流れる電流の測定を所望しているときには、切替えスイッチを「Ａ」に切替え操作する。この状態においては、制御部１０が操作部７からの操作信号Ｓ３に基づき、自動切替えモードではなく（「ＡＵＴＯ」ではなく）「Ａ」に切り替えられていると判別する（ステップ２１，４０）。この際に、制御部１０は、測定部６を制御して電流測定ファンクションに切り替えさせ（ステップ２２）、電流測定処理を実行させる（ステップ２３）。
【００３４】
一方、電圧測定対象体の電圧の測定を所望しているときには、切替えスイッチを「Ｖ」に切替え操作する。この状態においては、制御部１０が操作部７からの操作信号Ｓ３に基づき、自動切替えモードや電流測定モードではなく（「ＡＵＴＯ」および「Ａ」ではなく）、「Ｖ」に切り替えられていると判別する（ステップ２１，４０，４１）。この際に、制御部１０は、測定部６を制御して電圧測定ファンクションに切り替えさせ（ステップ３１）、電圧測定処理を実行させる（ステップ３２）。また、抵抗測定対象体の抵抗の測定を所望しているときには、切替えスイッチを「Ω」に切替え操作する。この状態においては、制御部１０が操作部７からの操作信号Ｓ３に基づき、自動切替えモード、電流測定モードおよび電圧測定モードではなく（「ＡＵＴＯ」、「Ａ」および「Ｖ」ではなく）、「Ω」に切り替えられていると判別する（ステップ２１，４０，４１）。この際に、制御部１０は、測定部６を制御して抵抗測定ファンクションに切り替えさせ（ステップ３６）、抵抗測定処理を実行させる（ステップ３７）。さらに、各測定ファンクションに手動で切り替えした状態において、操作部７の切替えスイッチが「ＡＵＴＯ」に切り替えられたときには（ステップ２１）、前述した一連の手順に従って測定ファンクションが切り替えられて（ステップ２２，３１，３６）、各種測定処理が自動的に実行される。
【００３５】
このように、このクランプ式電流計１によれば、測定開始が指示されたとき（この例では、電源スイッチの操作によって測定開始が指示されたとき）に電流測定処理を開始し（ステップ２２，２３）、電流測定処理によって電流が測定されず、かつ電圧検出部５によって電圧が検出されたとき（この例では、電圧検出部５から検出信号Ｓ２が出力されているとき）に電圧測定処理を開始し（ステップ３１，３２）、電流測定処理によって電流が測定されず、かつ電圧検出部５によって電圧が検出されないとき（この例では、電圧検出部５から検出信号Ｓ２が出力されていないとき）に抵抗測定処理を開始する（ステップ３６，３７）ことにより、この種の測定装置の操作に不慣れな利用者であっても、電流の測定を所望しているときには電流センサ２によって電流測定対象体をクランプし、電圧の測定を所望しているときには、接続部３に接続したテストリード３ａ，３ｂを電圧測定対象体に接触させ、抵抗の測定を所望しているときには、接続部３に接続したテストリード３ａ，３ｂを抵抗測定対象体に接触させるだけで、煩雑な切替え操作を行うことなく、所望の測定ファンクションに切り替えられて所望の測定処理が自動的に実行されるため、操作誤りを招くことなく、所望の測定値（この例では、電流、電圧および抵抗のいずれか）を正確かつ容易に表示部８に表示させることができる。
【００３６】
また、このクランプ式電流計１では、電流測定処理（ステップ２３）において電流が測定され、かつ、開閉状態検出部４によって電流センサ２が閉状態と検出されたとき（この例では、開閉状態検出部４から検出信号Ｓ１が出力されていないとき：ステップ２５）に測定部６によって測定された電流の値を表示部８に表示させ、電流測定処理（ステップ２３）において電流が測定され、かつ、開閉状態検出部４によって電流センサ２が開状態と検出されたとき（この例では、開閉状態検出部４から検出信号Ｓ１が出力されているとき：ステップ２５）に開状態を報知するメッセージを表示部８に表示させる（ステップ２６）。したがって、このクランプ式電流計１によれば、電流の測定を所望しているときにおいて電流測定対象体に電流が流れていないときに電流センサ２が開状態であることに起因して外部磁界の存在による電流が誤って測定される事態を回避することができる。また、このクランプ式電流計１によれば、電圧の測定または抵抗の測定を所望しているときに外部磁界の存在による電流が誤って測定されて電流測定処理が継続して実行され、電圧測定処理や抵抗測定処理が開始されないといった事態を確実に回避することができる。
【００３７】
なお、電源投入直後に電流測定ファンクションに切り替えて電流測定処理を自動的に開始し、電流測定処理によって電流が測定されないときに、電圧検出部５によってテストリード３ａ，３ｂからの入力電圧の有無を検出し、検出結果に応じて電圧測定処理および抵抗測定処理のいずれかを実行する構成を例に挙げて説明したが、電圧検出部５に代えて、測定部６および制御部１０によってテストリード３ａ，３ｂからの入力電圧の有無を検出する構成（測定部６および制御部１０を電圧検出部とする構成）を採用することもできる。具体的には、測定部６によって電圧Ｖｂの電圧を測定し、制御部１０が、測定部６からの測定データＤに基づき、電圧が測定されたときには「入力電圧あり」と判別し、電圧が測定されないとき（０Ｖのとき）には「入力電圧なし」と判別する構成を採用することもできる。
【００３８】
また、電流測定処理によって電流が測定されないときに、テストリード３ａ，３ｂを介して電圧Ｖｂが入力されているときには電圧測定ファンクションに切り替えて電圧測定処理を自動的に実行し、テストリード３ａ，３ｂを介して電圧Ｖｂが入力されていないときには抵抗測定ファンクションに切り替えて抵抗測定処理を自動的に実行する構成のクランプ式電流計１を例に挙げて説明したが、測定装置の構成はこれに限定されない。例えば、測定開始が指示されたとき（例えば、電源スイッチが操作されたとき）に電流測定ファンクションに切り替えて電流測定処理を自動的に開始し（前述した測定処理２０におけるステップ２２，２３に相当）、電流測定処理によって電流が測定されないときに電圧測定ファンクションに切り替えて電圧測定処理を自動的に開始し（前述した測定処理２０におけるステップ３１，３２に相当）、電圧測定処理によって電圧が測定されないときに抵抗測定ファンクションに切り替えて抵抗測定処理を自動的に開始する（前述した測定処理２０におけるステップ３６，３７に相当）構成を採用することができる。
【００３９】
このような構成を採用したクランプ式電流計によれば、前述したクランプ式電流計１と同様にして、この種の測定装置の操作に不慣れな利用者であっても、電流の測定を所望しているときには電流センサ２によって電流測定対象体をクランプし、電圧の測定を所望しているときには、接続部３に接続したテストリード３ａ，３ｂを電圧測定対象体に接触させ、抵抗の測定を所望しているときには、接続部３に接続したテストリード３ａ，３ｂを抵抗測定対象体に接触させるだけで、煩雑な切替え操作を行うことなく、所望の測定ファンクションに切り替えられて所望の測定処理が自動的に実行されるため、操作誤りを招くことなく、所望の測定値（この例では、電流、電圧および抵抗のいずれか）を正確かつ容易に表示部８に表示させることができる。また、この構成のクランプ式電流計によれば、電圧検出部５を不要にできるため、その分の製造コストを低減することができる。
【００４０】
また、電流測定処理、電圧測定処理および抵抗測定処理の３つの測定処理を実行可能なクランプ式電流計１を例に挙げて説明したが、電流測定処理および電圧測定処理だけを実行可能なクランプ式電流計（測定装置）や、電流測定処理および抵抗測定処理だけを実行可能なクランプ式電流計（測定装置）において測定ファンクションを自動的に切り替える構成を採用することもできる。
【００４１】
例えば、電流測定処理および電圧測定処理だけを実行可能なクランプ式電流計においては、測定開始が指示されたとき（例えば、電源スイッチが操作されたとき）に電流測定ファンクションに切り替えて電流測定処理を自動的に開始し（前述した測定処理２０におけるステップ２２，２３に相当）、電流測定処理によって電流が測定されないときに電圧測定ファンクションに切り替えて電圧測定処理を自動的に開始する（前述した測定処理２０におけるステップ３１，３２に相当）構成を採用する。このような構成を採用したクランプ式電流計によれば、この種の測定装置の操作に不慣れな利用者であっても、電流の測定を所望しているときには電流センサ２によって電流測定対象体をクランプし、電圧の測定を所望しているときには、接続部３に接続したテストリード３ａ，３ｂを電圧測定対象体に接触させるだけで、煩雑な切替え操作を行うことなく、所望の測定ファンクションに切り替えられて所望の測定処理が自動的に実行されるため、操作誤りを招くことなく、所望の測定値（この例では、電流および電圧のいずれか）を正確かつ容易に表示部８に表示させることができる。また、この構成のクランプ式電流計においても、電圧検出部５を不要にできるため、その分の製造コストを低減することができる。
【００４２】
また、電流測定処理および抵抗測定処理だけを実行可能なクランプ式電流計においては、測定開始が指示されたとき（例えば、電源スイッチが操作されたとき）に電流測定ファンクションに切り替えて電流測定処理を自動的に開始し（前述した測定処理２０におけるステップ２２，２３に相当）、電流測定処理によって電流が測定されないときに抵抗測定ファンクションに切り替えて抵抗測定処理を自動的に開始する（前述した測定処理２０におけるステップ３６，３７に相当）構成を採用する。このような構成を採用したクランプ式電流計によれば、この種の測定装置の操作に不慣れな利用者であっても、電流の測定を所望しているときには電流センサ２によって電流測定対象体をクランプし、抵抗の測定を所望しているときには、接続部３に接続したテストリード３ａ，３ｂを抵抗測定対象体に接触させるだけで、煩雑な切替え操作を行うことなく、所望の測定ファンクションに切り替えられて所望の測定処理が自動的に実行されるため、操作誤りを招くことなく、所望の測定値（この例では、電流および抵抗のいずれか）を正確かつ容易に表示部８に表示させることができる。また、この構成のクランプ式電流計においても、電圧検出部５を不要にできるため、その分の製造コストを低減することができる。
【００４３】
さらに、テストリード３ａ，３ｂ間に電圧を印加したときにテストリード３ａ，３ｂを流れる電流（「接触子を流れる電流」の一例）に基づいて抵抗を測定する抵抗測定処理を実行する構成を例に挙げて説明したが、測定装置の構成はこれに限定されない。具体的には、テストリード３ａ，３ｂを介して抵抗測定用の電流を出力した状態においてテストリード３ａ，３ｂの間に生じる電圧（「接触子を介して入力される第３の入力電圧（第Ｂの入力電圧）の一例）に基づいて抵抗（抵抗測定対象体の抵抗）を測定する抵抗測定処理（「接触子を流れる電流、および接触子を介して入力される第３の入力電圧（第Ｂの入力電圧）のいずれか一方」が「接触子を介して入力される第３の入力電圧（第Ｂの入力電圧」である抵抗測定処理の例）を実行する構成を採用することもできる。
【００４４】
また、「測定開始が指示されたとき」としての「電源スイッチが操作されて電源が投入されたとき」に一連の処理を実行する構成を例に挙げて説明したが、例えば、測定開始スイッチ（スタートスイッチ）等の「測定開始を指示するための専用の操作スイッチ」を別個に設け、この操作スイッチが操作されたときに一連の処理を実行する構成や、外部装置からの制御信号（測定開始を指示する制御信号）を受信したときに一連の処理を実行する構成を採用することもできる。さらに、電流センサ２が開状態のときに表示部８にメッセージを表示することで開状態を報知する構成を例に挙げて説明したが、メッセージの表示に変えて、インジケータの点灯または点滅や、ブザー音の出力によって開状態を報知する構成を採用することもできる。
【符号の説明】
【００４５】
１  クランプ式電流計
２  電流センサ
３  テストリード接続部
３ａ，３ｂ  テストリード
４  開閉状態検出部
５  電圧検出部
６  測定部
７  操作部
８  表示部
９  記憶部
１０  制御部
２０  測定処理
Ｄ  測定データ
Ｉ  電流
Ｓ１，Ｓ２  検出信号
Ｓ２  操作信号
Ｖａ〜Ｖｃ  電圧
【図１】
2010281571.tif 000003
【図２】
2010281571.tif 000004